(57)【要約】【課題】  装着者の手の自由を極力制約することなく、装着性及び使用感に優れるとともに、顔を引っ掻くことと寝返りを良好に防止し、顔面を保護する。【解決手段】  枕１０の本体１２は、クッション性を有するとともに、馬蹄型ないし略Ｕ字状に形成されており、正面側には、頭部３２のずれを防止するためのくぼみ１４が形成され、両延長部１３の背面側の先端付近には、ゴムベルト１８を通すためのベルト通し１６が設けられている。ゴムベルト１８は、面テープ２０Ａ，２０Ｂにより長さ調節が可能となっている。本体１２の両延長部１３を、乳幼児３０の上腕部に巻き、背中側でゴムベルト１８によって固定することにより、手３４で顔を引っ掻くのを防止するとともに、寝返りをして顔を擦ることも防止する。ゴムベルト１８に弾性があるため、必要以上に動きの制約をすることがない。【選択図】図１
2006116099.tif 000002
【特許請求の範囲】
【請求項１】
馬蹄型ないし略Ｕ字状に形成されており、その両延長部を装着者の上腕部に、正面側から背中側に向けて巻くことが可能なクッション性を備えた枕本体，
該枕本体の両延長部の端部同士を、前記装着者の背中側で連結するベルト状ないし紐状の連結手段，
を備えるとともに、
前記枕本体の両延長部は、前記装着者の上腕部に巻かれたときに、該装着者の手が顔に届かないように形成されていることを特徴とする顔面保護枕。
【請求項２】
前記連結手段は、弾性ないし伸縮性を有することを特徴とする請求項１記載の顔面保護枕。
【請求項３】
前記連結手段は、長さ調節が可能であることを特徴とする請求項１又は２記載の顔面保護枕。
【請求項４】
前記枕本体に、前記装着者の頭のずれを防止するためのくぼみを設けたことを特徴とする請求項１〜３のいずれかに記載の顔面保護枕。
【請求項５】
請求項１〜４のいずれかに記載の顔面保護枕を覆うカバーであって、
少なくとも前記装着者の頭部が当たる側のクッション本体の表面を覆うカバー体，
該カバー体に設けられており、前記装着者の首が当たる部分に設けられたポケット，
を備えたことを特徴とする顔面保護枕用のカバー。
【発明の詳細な説明】
【技術分野】
【０００１】
本発明は、顔面保護枕及びそのカバーに関し、更に具体的には、装着者（例えば、乳幼児など）の顔面を保護するための顔面保護枕及びそのカバーに関するものである。
【背景技術】
【０００２】
近年、乳幼児脂漏性湿疹は増加傾向にあり、多くの病院で、脂漏性湿疹は新患のベスト３以内に入る。また、脂漏性湿疹のほか、乳幼児の疾患としてアトピー性皮膚炎も非常に多い。乳幼児の場合、アトピー性皮膚炎は、顔面に始まり、次第に手足や体の中心部へと拡大し、激しい痒みを伴う。このような皮膚疾患に対しては、内服薬の服用や、必要に応じて食事療法なども併用されるが、治療の中心は、ステロイド軟膏や保湿剤などの塗布となる。近年は、長期間投与によるステロイドの副作用が指摘されており、他の治療法に切り替えたり、ステロイド軟膏の塗布を中断したりすることも行われている。
【０００３】
しかしながら、このような治療過程において、回復しかけた患部を、患者自らが手で引っ掻いてしまい、出血や炎症，バイ菌の侵入による化膿など、更に患部を悪化させてしまうことが多々ある。これは、ステロイドの投与を中止した際にも同様で、いわゆるリバウンドにより、症状が更に悪化した場合にも起こりうることである。患部が悪化して痒みが増すと、更に掻きむしってしまうという悪循環に陥ってしまう。従って、患部に触らないようにすることが、回復には必要不可欠な対処方法であるが、乳幼児に自らの意志で痒みを堪えて掻くのをやめさせることは極めて難しく、現実的ではない。
【０００４】
そこで、乳幼児が患部を掻くのを防ぐために様々な技術が提案されている。例えば、以下の特許文献１には、腕，肘部を巻いて包みこみ、肘を曲げにくくすることで掻きむしりを防ぐ掻きむしり防止用具が開示されている。また、特許文献２には、患者の腕部を挿通可能な一対の中空の筒状の本体を、連結部によって背中側で連結する掻きむしり防止具が記載されている。
【特許文献１】特開２００１−３５３１７３公報
【特許文献２】特開２００３−２４３５８公報
【発明の開示】
【発明が解決しようとする課題】
【０００５】
しかしながら、上述した特許文献１及び２に記載の技術では、腕，もしくは、手に器具を装着するため、腕の動きの制約が多い。その上、ベルトや腕周りの部品が多いため、装脱着が煩わしいという不都合もある。また、顔が痒い乳幼児は、寝返りをして枕や敷布団で顔をこするという難点もあるが、上述したいずれの背景技術でも、この点については考慮されていない。このように、実際には、使い勝手がよく、かつ、掻くのを防止する効果が高い器具が提供されていないのが現状である。乳幼児の両腕を強制的に固定する方法については、乳幼児本人のみならず、親や家族にとっても好ましくない方法であることは言うまでもない。
【０００６】
本発明は、以上の点に着目したもので、その目的は、装着者の腕の自由を極力制約することなく、顔の引っ掻きを良好に防止するととともに、寝返りによって顔を擦ることも防止できる顔面保護枕を提供することである。他の目的は、快適な使用感を得ることができる顔面保護枕用のカバーを提供することである。
【課題を解決するための手段】
【０００７】
前記目的を達成するため、本発明の顔面保護枕は、馬蹄型ないし略Ｕ字状に形成されており、その両延長部を装着者の上腕部に、正面側から背中側に向けて巻くことが可能なクッション性を備えた枕本体，該枕本体の両延長部の端部同士を、前記装着者の背中側で連結するベルト状ないし紐状の連結手段，を備えるとともに、前記枕本体の両延長部は、前記装着者の上腕部に巻かれたときに、該装着者の手が顔に届かないように形成されていることを特徴とする。
【０００８】
主要な形態の一つは、前記連結手段は、弾性ないし伸縮性を有することを特徴とする。他の形態は、前記連結手段は、長さ調節が可能であることを特徴とする。更に他の形態は、前記枕本体に、前記装着者の頭のずれを防止するためのくぼみを設けたことを特徴とする。
【０００９】
本発明の枕カバーは、請求項１〜４のいずれかに記載の顔面保護枕を覆うカバーであって、少なくとも前記装着者の頭部が当たる側のクッション本体の表面を覆うカバー体，該カバー体に設けられており、前記装着者の首が当たる部分に設けられたポケット，を備えたことを特徴とする。本発明の前記及び他の目的，特徴，利点は、以下の詳細な説明及び添付図面から明瞭になろう。
【発明の効果】
【００１０】
本発明は、馬蹄型ないし略Ｕ字状に形成された枕本体の両腕部を、装着者の上腕部の正面側から背中側へ巻いて、背中側で固定することで、必要以上に腕の自由を制約することなく、装着者が手で顔を掻くのを防止するとともに、寝返りして顔を擦るのも防止することができる。
【発明を実施するための最良の形態】
【００１１】
以下、本発明を実施するための最良の形態を、実施例に基づいて詳細に説明する。
【実施例１】
【００１２】
最初に、図１〜図４を参照しながら本発明の実施例１を説明する。図１は、本実施例の使用状態を示す図であり、(A)は正面側から見た状態，(B)は背中側から見た状態を示す図である。図２は、本実施例の枕を示す図であり、(A)は正面側から見た平面図，(B)は背面側からみた平面図，(C)はゴムベルトを示す平面図である。図３は、本実施例の枕のカバーを示す図であり、図４は、本実施例の使用状態を装着者の側方から見た図である。これらの図に示すように、本実施例は、本発明の顔面保護枕を、乳幼児用の枕として適用したものである。本実施例の乳幼児用枕１０（以下「枕」とする）は、全体が馬蹄型ないし略Ｕ字形状に形成されており、その両延長部１３を乳幼児３０の上腕部に正面側から背中側へ向けて巻いてゴムベルト１８で固定することにより、手３４で顔などを掻くのを防止するものである。
【００１３】
枕１０は、図２に示すように、全体が馬蹄型ないし略Ｕ字状に形成された本体１２と、該本体１２の裏面側に設けられたゴムベルト１８により構成されており、表側にはカバー２２が設けられている。前記本体１２は、例えば、柔軟性素材の表面生地の内側に、クッション性を有する素材を充填したものであって、適度な厚みを有している。また、延長部１３は、乳幼児３０の上腕部に巻いたときに、手３４が顔に届かない程度の寸法に予め設定されている。前記柔軟性素材やクッション素材としては、公知の各種の素材，例えば、ポリエステル綿やウレタンなどが用いられる。また、前記本体１２の正面側，すなわち、乳幼児３０の頭部３２を乗せる側には、頭部３２が上下左右などにずれるのを防止するためのくぼみ１４が適宜位置に設けられている。具体的には、後頭部が当たる位置に設けるようにすると、ずれ防止の効果が高い。
【００１４】
更に、前記本体１２の背面の両端側には、該両端部を連結するゴムベルト１８を通すためのベルト通し１６がそれぞれ一つずつ設けられている。前記ゴムベルト１８は、図２(C)に示すように、適度な幅を有しており、一方の面の端部付近と、他方の面の端部近傍に、それぞれ面テープ２０Ａ及び２０Ｂが設けられている。このようなゴムベルト１８は、前記本体１２のベルト通し１６に通した後、前記面テープ２０Ａ及び２０Ｂを貼り合わせることにより、任意の長さで固定することが可能となっている。また、弾性を有するゴムを利用しているため、乳幼児３０に装着した後であっても、ゴムベルト１８自体が伸びるため、動きの制約が少ない。
【００１５】
図３に示すカバー２２は、前記本体１２の正面側に取り付けられるものであって、本実施例では、本体１２に対して脱着可能となっている。すなわち、本体１２と略同一形状のカバーの両端部２２Ａ，２２Ｂを、本体１２の端部が入る袋状に形成するとともに、頭部を乗せる部分の近傍に、一対の紐２６Ａ，２６Ｂと、２８Ａ及び２８Ｂを二組設けて本体１２の背面側で結ぶことにより取り付け可能となっている。また、カバー２２には、乳幼児３０の首が当たる部分に、ポケット２４が設けられている。該ポケット２４は、例えば、保冷剤などを入れることができる程度の形状・寸法に設定されている。カバー２２としては、本体１２の表面生地と同様に、柔軟性があり肌触りのよい生地が用いられる。
【００１６】
次に、本実施例の作用を説明する。まず、本体１２の両端部を、カバー２２の端部２２Ａ及び２２Ｂの袋状部分に入れ、背面側で、紐２６Ａ，２６と、紐２８Ａ，２８Ｂをそれぞれ結び合わせ、本体１２にカバー２２を取り付ける。ポケット２４には、必要に応じて保冷剤（図示せず）を収納する。そして、乳幼児３０の頭部３２が、くぼみ１４に当たるように枕１０に乳幼児３０を寝かせ、枕１０の両延長部１３を乳幼児３０の腕（上腕部）の正面側から背中側に巻きまわし、ベルト通し１６に通されたゴムベルト１８の面テープ２０Ａ及び２０Ｂを貼り合せて、任意の位置で固定する。
【００１７】
このように、実施例１によれば、次のような効果がある。
(1)馬蹄型ないし略Ｕ字状に形成された枕１０の両延長部１３を、乳幼児３０の腕（上腕部）に、正面側から背中側に巻き、背中側に回して固定することとしたので、装脱着が容易でありながら、手３４が顔に届くのを良好に防止することができる。また、前記両延長部１３が肩を押さえるため、寝返りを防止することもできる。
(2)本体１２にくぼみ１４を設けることとしたので、頭部３２が上下左右などにずれるのを防止することができる。
(3)前記両延長部１３の端部同士を、弾性を有するゴムベルト１８によって固定することとしたので、乳幼児３０の動きを必要以上に制限することがない。
(4)前記ゴムベルト１８を、面テープ２０Ａ及び２０Ｂの貼り合わせにより長さ調節可能としたので、乳幼児３０の成長に対応可能である。
(5)カバー２２にポケット２４を設け、保冷剤などを収納可能としたので、暑い時期であっても、乳幼児３０の不快感やほてりを解消し、快適な使用感が得られる。
(6)前記ゴムベルト１８やカバー２２を取り外し可能とすることにより、本体１２やカバー２２を洗濯して、常に衛生的に保つことができる。
【００１８】
なお、本発明は、上述した実施例に限定されるものではなく、本発明の要旨を逸脱しない範囲内において種々変更を加え得ることができる。例えば、以下のものも含まれる。
(1)前記実施例で示した形状・寸法は一例であり、必要に応じて適宜変更可能である。素材，色彩，模様などについても、必要に応じて適宜変更可能である。
(2)ゴムベルト１８による連結機構も一例であり、同様の効果を奏するように適宜設計変更可能である。例えば、本体１２の一方の延長部１３の先端に、ゴムベルトないしゴム紐の一端を固定し、他方の延長部１３の先端にボタンなどを設けて、前記ゴムベルトないしゴム紐の他端側に設けたループなどをかけるようにしてもよい。
(3)面テープ２０Ａ及び２０Ｂによるゴムベルト１８の長さ調節も一例であり、同様の効果を奏するものであれば、公知の各種の長さ調節機構を適用してよい。
(4)前記実施例におけるカバー２２の取り付け手法も一例であり、必要に応じて適宜変更してよい。また、カバー２２は、常に装着しておくことなく、必要が生じた場合のみ利用するようにしてもよい。
(5)上述した装着手順は一例であり、同様の効果を奏するように、必要に応じて適宜変更してよい。
(6)前記実施例では、乳幼児３０の顔面保護に本発明の枕を適用したが、乳幼児に限らず、例えば、痴呆症の患者などに適用することを妨げるものではない。
【産業上の利用可能性】
【００１９】
本発明によれば、馬蹄型ないし略Ｕ字状に形成された枕本体の両延長部を、上腕部の正面側から背中側へ巻いて背中側で固定し、手で顔を掻くことと寝返りを防止することとしたので、顔面保護機能を備えた枕の用途に適用できる。特に、顔面に皮膚疾患を有する乳幼児用の枕の用途に好適である。
【図面の簡単な説明】
【００２０】
【図１】本発明の実施例１の使用状態を示す図であり、(A)は正面から見た状態，(B)は背中側から見た状態を示す図である。
【図２】前記実施例１を示す図であり、(A)は本体の正面図，(B)は本体の背面図，(C)はゴムベルトを示す平面図である。
【図３】前記実施例１の枕カバーを示す図である。
【図４】前記実施例１の使用状態を側面側から見た図である。
【符号の説明】
【００２１】
１０：枕
１２：本体
１３：延長部
１４：くぼみ
１６：ベルト通し
１８：ゴムベルト
２０Ａ，２０Ｂ：面テープ
２２：カバー
２２Ａ，２２Ｂ：端部
２４：ポケット
２６Ａ，２６Ｂ，２８Ａ，２８Ｂ：紐
３０：乳幼児
３２：頭部
３４：腕
【図１】
2006116099.tif 000003
【図２】
2006116099.tif 000004
【図３】
2006116099.tif 000005
【図４】
2006116099.tif 000006